(57)【要約】【課題】  軟弱地盤地帯でも不等沈下しづらく、地中に埋め込んだ部分を撤去しなくとも自然に土に帰る環境に優しい、軟弱地盤地帯用の防風雪柵の基礎構造を提供する。【解決手段】  等間隔に地中に埋設される基礎杭１と、基礎杭１の上端に被せられる連結管２と、連結管２にはめ込まれ地表に列設される支柱11と、支柱11の間に防風雪板や防風雪網14を掛け渡した防風雪柵において、基礎杭１は細長い自然木を垂直方向に打ち込んで埋設され、連結管２は半ば地中に埋設され、連結管２の左右には根かせ材３を水平方向に地中に埋設し、根かせ材３は細長い自然木とした。【選択図】図４
0003157332.tif 000002
【実用新案登録請求の範囲】
【請求項１】
等間隔に地中に埋設される基礎杭１と、基礎杭１の上端に被せられる連結管２と、連結管２にはめ込まれ地表に列設される支柱11と、支柱11の間に防風雪板や防風雪網14を掛け渡した防風雪柵において、基礎杭１は細長い自然木を垂直方向に打ち込んで埋設され、連結管２は半ば地中に埋設され、連結管２の左右には根かせ材３を水平方向に地中に埋設し、根かせ材３は細長い自然木とした軟弱地盤地帯用の防風雪柵の基礎構造。
【考案の詳細な説明】
【技術分野】
【０００１】
本考案は、冬期間における道路や線路等への積雪量を軽減し、かつ視程障害を緩和するため、あるいは風害を防止するため、道路脇や線路脇に設置する防風雪柵、又はそのための防風雪林が幼木の間を保護するために設置する防風雪柵の、特に軟弱地盤地帯に設置するための基礎構造に関する。
【背景技術】
【０００２】
従来の防雪柵では、コンクリートブロックを地中に埋め込んで基礎とし、その基礎コンクリート上に支柱を立て、支柱の間に防雪板や防雪網を掛け渡している。
【０００３】
例えば、特開平１０−１８２３３号公報に示されるように、立方体の基礎コンクリートを地中に埋め込み、その基礎コンクリートにアンカー金具で支柱を立て込んだ物が知られている。この基礎コンクリートは防雪板や防雪網が受ける風力で支柱が転倒しないよう、比較的大きく重いものとなっている。
【先行技術文献】
【特許文献】
【０００４】
【特許文献１】特開平１０−１８２３３号公報
【考案の概要】
【考案が解決しようとする課題】
【０００５】
例えば、もともと湿地帯であったような所では植物が完全に腐敗しきっていない泥炭層が厚く堆積し、軟弱地盤地帯を形成している。そのような軟弱地盤地帯に重い基礎コンクリートを埋め込んでも、不等沈下して支柱が転倒するという問題があった。
【０００６】
また、防風雪林が幼木の間を保護するために設置する防風雪柵では、防風雪林が生長すると用済みとなり撤去する必要があるが、地中に埋め込んだ部分まで撤去するとなると煩わしい。
【０００７】
そこで本考案は、軟弱地盤地帯でも不等沈下しづらく、地中に埋め込んだ部分を撤去しなくとも自然に土に帰る環境に優しい、軟弱地盤地帯用の防風雪柵の基礎構造を提供することを目的とする。
【課題を解決するための手段】
【０００８】
請求項１の考案の軟弱地盤地帯用の防風雪柵の基礎構造は、等間隔に地中に埋設される基礎杭１と、基礎杭１の上端に被せられる連結管２と、連結管２にはめ込まれ地表に列設される支柱11と、支柱11の間に防風雪板や防風雪網14を掛け渡した防風雪柵において、基礎杭１は細長い自然木を垂直方向に打ち込んで埋設され、連結管２は半ば地中に埋設され、連結管２の左右には根かせ材３を水平方向に地中に埋設し、根かせ材３は細長い自然木としたものである。
【考案の効果】
【０００９】
請求項１の考案によれば、等間隔に地中に埋設される基礎杭１と、基礎杭１の上端に被せられる連結管２と、基礎杭１は細長い自然木を垂直方向に打ち込んで埋設され、連結管２は半ば地中に埋設され、連結管２の左右には根かせ材３を水平方向に地中に埋設したため、重い基礎コンクリートを使用せず、根かせ材３が基礎杭１の沈下の抵抗となるから、軟弱地盤地帯でも不等沈下しづらくなる。
【００１０】
また、基礎杭１は細長い自然木を垂直方向に打ち込んで埋設され、連結管２の左右には根かせ材３を水平方向に地中に埋設し、根かせ材３は細長い自然木としたため、地中の基礎杭１と根かせ材３は自然木であるから、地中に埋め込んだ部分を撤去しなくとも自然に土に帰る環境に優しいものとなる。
【図面の簡単な説明】
【００１１】
【図１】図１は軟弱地盤地帯用の防風雪柵の基礎構造を示す正面図である。
【図２】図２は図１の平面図である
【図３】図３は図１の側面図である。
【図４】図４は図１の要部を示す部分拡大図である。
【図５】図５は図３の要部を示す部分拡大図である。
【考案を実施するための形態】
【００１２】
軟弱地盤地帯でも不等沈下しづらく、地中に埋め込んだ部分を撤去しなくとも自然に土に帰る環境に優しい、軟弱地盤地帯用の防風雪柵の基礎構造を提供する目的を、等間隔に地中に埋設される基礎杭１と、基礎杭１の上端に被せられる連結管２と、連結管２にはめ込まれ地表に列設される支柱11と、支柱11の間に防風雪板や防風雪網14を掛け渡した防風雪柵において、基礎杭１は細長い自然木を垂直方向に打ち込んで埋設され、連結管２は半ば地中に埋設され、連結管２の左右には根かせ材３を水平方向に地中に埋設し、根かせ材３は細長い自然木として実現した。
【実施例１】
【００１３】
図１は、本考案の実施例に係る軟弱地盤地帯用の防風雪柵の基礎構造である。
【００１４】
この防風雪柵の基礎構造は、等間隔に地中に埋設される基礎杭１と、基礎杭１の上端に被せられる連結管２と、連結管２は半ば地中に埋設され、連結管２の左右には根かせ材３を水平方向に地中に埋設している。
【００１５】
基礎杭１は、間伐材のような細長い自然木を垂直方向に打ち込んで埋設される。基礎杭１の上端部には、連結管２と固定するための取付孔を水平方向に設ける。
【００１６】
実施例では基礎杭１として、直径約２０cmで長さ約２．４ｍのからまつ材に防腐処理したものを用い、３．５ｍの等間隔に地表面Ｅから約１５cm下に埋設した。
【００１７】
連結管２は、基礎杭１の上端に被せられ、半ば地中に埋設される。また、支柱11の下端はその連結管２にはめ込まれる。連結管２の下端部には基礎杭１と固定するための取付孔を水平方向に設け、その中間部には根かせ材３と固定するための取付孔を水平方向に設け、その上端部には支柱11と固定するための取付孔を水平方向に設ける。
【００１８】
基礎杭１の上端部の取付孔と連結管２の下端部の取付孔に螺子５を通して、基礎杭１と連結管２を固定する。
【００１９】
実施例では連結管２として、内径約２０．５cmで長さ約８０cmの溶融亜鉛鍍金鋼管を用い、地表面Ｅ上に約２５cm突出させて埋設した。連結管２を地表面Ｅ上に突出させているのは、支柱11が土に触れて腐敗が早まるのを防ぐためである。
【００２０】
根かせ材３は、連結管２の左右に同一長さで水平方向に地中に埋設し、根かせ材３は細長い自然木とする。細長い根かせ材３の中間部に連結管２と固定するための取付孔を水平方向に設け、その両端部には互いを連結するための連結孔を水平方向に設ける。
【００２１】
連結管２の中間部の取付孔と根かせ材３の中間部の取付孔に螺子６を通して、連結管２と根かせ材３を固定する。また、隣り合う根かせ材３の連結孔の間に連結板４を設け、連結板４に連結孔を設け、根かせ材３の連結孔と連結板４の連結孔に螺子を通して、隣り合う根かせ材３を連結固定する。
【００２２】
実施例では根かせ材３として、直径約２０cmのものを半割りにし長さ約３．４８ｍのからまつ材に防腐処理したものを用い、地表面Ｅから約３０cm下に埋設した。
【００２３】
次に、この防風雪柵の基礎構造に設置される防風雪柵について説明する。
【００２４】
連結管２にはめ込まれ地表に列設される支柱11を設ける。支柱11は、間伐材のような細長い自然木を垂直方向に立て、支柱11の下端部には連結管２と固定するための取付孔を水平方向に設ける。
【００２５】
連結管２の上端部の取付孔と支柱11の下端部の取付孔に螺子12を通して、連結管２と支柱11を固定する。
【００２６】
実施例では支柱11として、直径約２０cmで長さ約３．２ｍのからまつ材に防腐処理したものを用い、３．５ｍの等間隔に地表面Ｅから約３ｍの高さに立てた。
【００２７】
支柱11の長手方向両側面にシート固定金具13を設け、シート固定金具13の間に防風雪網14を掛け渡して防風雪柵を構成する。
【００２８】
実施例では防風雪網14として、ポリエステル繊維のスリットシートで、景観に配慮して透視性に優れ、高強度で軽量な経済性に優れたものとした。
【００２９】
支柱11の頂部間に規制梁15を設け、支柱11を等間隔に保つようにする。
【００３０】
以上の実施例では、支柱11としてからまつ材の自然木とした例を示したが、鋼製の支柱としても良い。
【００３１】
また、支柱11の間に防風雪網14を掛け渡して防風雪柵を構成する例を示したが、鋼製の防風雪板としても良い。
【符号の説明】
【００３２】
１  基礎杭
２  連結管
３  根かせ材
11  支柱
14  防風雪板や防風雪網としての防風雪網
【図１】
0003157332.tif 000003
【図２】
0003157332.tif 000004
【図３】
0003157332.tif 000005
【図４】
0003157332.tif 000006
【図５】
0003157332.tif 000007